(57)【特許請求の範囲】
【請求項１】
レリーズ操作に応じて連続的に複数フレームの撮影を行う連続撮影機能および一度のレリーズ操作で露出を少しずつ変化させながら複数フレームの撮影を行うオートブラケット機能の少なくとも一方を含む繰り返し撮影機能を備えたカメラにおいて、
フィルム給送モータを含むフィルム給送回路と、
ファインダ近傍およびファインダ内の少なくとも一方に設けられた視覚表示素子と、
前記繰り返し撮影機能による一連の撮影フレームにおける少なくとも第２フレーム目から最後の撮影フレームまでのレリーズ動作の少なくとも直前のタイミングに対応して前記視覚表示素子を表示動作させる作動表示手段とを具備してなり、
前記作動表示手段は、前記視覚表示素子の表示動作開始タイミングを前記フィルム給送モータが停止するときのブレーキ開始タイミングに実質的に対応させて、第２フレーム目以降のレリーズ開始タイミングを使用者に認知させることを特徴とする繰り返し撮影機能付きカメラ。
【請求項２】
前記作動表示手段は、前記視覚表示素子の表示動作期間を前記フィルム給送モータが停止するときのブレーキ開始からシャッタを作動させるためのシャッタアクチュエータの通電開始までの期間に実質的に対応させたことを特徴とする請求項１に記載の繰り返し撮影機能付きカメラ。
【請求項３】
前記作動表示手段は、前記視覚表示素子の表示動作期間を前記フィルム給送モータが停止するときのブレーキ開始からシャッタの作動終了までの期間に実質的に対応させたことを特徴とする請求項１に記載の繰り返し撮影機能付きカメラ。
【発明の詳細な説明】
【０００１】
【発明の属する技術分野】
本発明は、レリーズ操作に応じて連続的に複数フレームの撮影を行う連続撮影機能、いわゆる連写機能および一度のレリーズ操作で露出を少しずつ変化させながら複数フレームの撮影を行う、いわゆるオートブラケット機能のうちの少なくとも一方を含む繰り返し撮影機能を備えたカメラに係り、特に、動作状態の表示を改善した繰り返し撮影機能付きカメラに関するものである。
【０００２】
【従来の技術】
カメラには、レリーズ操作に応じて連続的に複数フレームの撮影を行う連続撮影機能、いわゆる連写機能を備えたものがある。また、近年においては、一度のレリーズ操作で露出を少しずつ変化させながら複数フレームの撮影を行う、いわゆるオートブラケット機能も設けられるようになってきている。これらのような繰り返し撮影機能を備えたカメラにおいて、従来は、連写またはオートブラケット動作時における表示内容は、主としてフィルムの残り撮影フレーム数、撮影インターバル、および露出補正状態等であった。そして従来のこの種の自動的な繰り返し撮影機能を備えたカメラにおいては、第１フレームの撮影動作は、レリーズ操作に応答してその直後に行なわれるので、ユーザは撮影タイミングを把握することができるが、第２フレーム以降については、自動繰り返し撮影時の個々の撮影タイミングをユーザに知らせるようにしたものは無かった。
【０００３】
このため、ユーザは、各フレームの撮影後のフィルムを給送するモータ音を聞いて、モータ音が止まった瞬間に次のフレームの撮影が開始されることを知るのみであった。
一方、従来、上述したオートブラケット機能を備えたカメラにおいては、オートブラケット機能を有効とするオートブラケット動作モードを選択した際には、液晶ディスプレイ装置（ＬＣＤ）によって、その旨を表示していた。従来、このオートブラケットモードであることを示すためには、「ＡＥｂ」という文字列や、オートブラケットを表す絵または記号のうちの少なくとも一方を表示するようにしていた。
【０００４】
【発明が解決しようとする課題】
上述したように、自動的な繰り返し撮影機能を備えたカメラを使用する場合、ユーザは、各フレームの撮影後のフィルムを給送するモータ音によって、次のフレームの撮影開始を判断していた。
しかしながら、騒音の大きい場所での撮影の場合や、モータ音の小さいカメラの場合には、モータ音の止まった瞬間が分かりにくく、ユーザは、次の撮影のタイミングを的確に把握することができず、手ぶれなどによる失敗が発生し易かった。
本発明は、上述した事情に鑑みてなされたもので、連続撮影機能またはオートブラケット機能等の自動的な繰り返し撮影機能を使用しているときに、第２フレーム目以降のシャッタレリーズ動作のタイミングをユーザに適切に報知することによって、ユーザに注意を促し、カメラをしっかり構え保持するタイミングを知らせて、手ぶれのない撮影を可能とする繰り返し撮影機能付きカメラを提供することを第１の目的としている。
【０００５】
本発明の請求項１の目的は、前記第１の目的を達成し、特に、騒音等による影響を受けない視覚表示により、第２フレーム目以降のシャッタレリーズ動作の開始直前のタイミングをユーザに適切に認知させることの可能な繰り返し撮影機能付きカメラを提供することにある。
本発明の請求項２の目的は、前記第１の目的を達成し、特に、当該フレームの撮影動作の開始直前から開始までのタイミングを識別し得る繰り返し撮影機能付きカメラを提供することにある。
【０００６】
本発明の請求項３の目的は、前記第１の目的を達成し、特に、当該フレームの撮影動作の開始直前から撮影完了までのタイミングを識別し得る繰り返し撮影機能付きカメラを提供することにある。
【０００９】
【課題を解決するための手段】
請求項１に記載した発明は、
レリーズ操作に応じて連続的に複数フレームの撮影を行う連続撮影機能および一度のレリーズ操作で露出を少しずつ変化させながら複数フレームの撮影を行うオートブラケット機能の少なくとも一方を含む繰り返し撮影機能を備えたカメラにおいて、
フィルム給送モータを含むフィルム給送回路と、
ファインダ近傍およびファインダ内の少なくとも一方に設けられた視覚表示素子と、
前記繰り返し撮影機能による一連の撮影フレームにおける少なくとも第２フレーム目から最後の撮影フレームまでのレリーズ動作の少なくとも直前のタイミングに対応して前記視覚表示素子を表示動作させる作動表示手段とを具備してなり、
前記作動表示手段は、前記視覚表示素子の表示動作開始タイミングを前記フィルム給送モータが停止するときのブレーキ開始タイミングに実質的に対応させて、第２フレーム目以降のレリーズ開始タイミングを使用者に認知させることを特徴としている。
【００１０】
請求項２に記載した本発明に係る繰り返し撮影機能付きカメラの前記作動表示手段は、前記視覚表示素子の表示動作期間を前記フィルム給送モータが停止するときのブレーキ開始からシャッタを作動させるためのシャッタアクチュエータの通電開始までの期間に実質的に対応させたことを特徴としている。
【００１１】
請求項３に記載した本発明に係る繰り返し撮影機能付きカメラの前記作動表示手段は、前記視覚表示素子の表示動作期間を前記フィルム給送モータが停止するときのブレーキ開始からシャッタの作動終了までの期間に実質的に対応させたことを特徴としている。
【００１５】
【作  用】
すなわち、本発明の請求項１による繰り返し撮影機能付きカメラは、上述した第１の目的を達成するために、レリーズ操作に応じて連続的に複数フレームの撮影を行う連続撮影機能および一度のレリーズ操作で露出を少しずつ変化させながら複数フレームの撮影を行うオートブラケット機能の少なくとも一方を含む繰り返し撮影機能を備えたカメラにおいて、
フィルム給送モータを含むフィルム給送回路と、
ファインダ近傍およびファインダ内の少なくとも一方に設けられた視覚表示素子と、
前記繰り返し撮影機能による一連の撮影フレームにおける少なくとも第２フレーム目から最後の撮影フレームまでのレリーズ動作の少なくとも直前のタイミングに対応して前記視覚表示素子を表示動作させる作動表示手段とを具備してなり、
前記作動表示手段は、前記視覚表示素子の表示動作開始タイミングを前記フィルム給送モータが停止するときのブレーキ開始タイミングに実質的に対応させて、第２フレーム目以降のレリーズ開始タイミングを使用者に認知させる。
このような構成により、連続撮影機能またはオートブラケット機能等の自動的な繰り返し撮影機能を使用しているときに、第２フレーム目以降のシャッタレリーズ動作の開始直前のタイミングをユーザに適切に報知することによって、ユーザに注意を促し、カメラをしっかり構え保持するタイミングを知らせて、手ぶれのない撮影を可能とし、特に、騒音等による影響を受けない視覚表示により、第２フレーム目以降のシャッタレリーズ動作のタイミングをユーザに適切に認知させることが可能となる。
【００１７】
本発明の請求項２による繰り返し撮影機能付きカメラは、前記作動表示手段が、前記視覚表示素子の表示動作期間を前記フィルム給送モータが停止するときのブレーキ開始からシャッタを作動させるためのシャッタアクチュエータの通電開始までの期間に実質的に対応させる。
このような構成により、特に、当該フレームの撮影動作の開始直前から開始までのタイミングを識別することができる。
本発明の請求項３による繰り返し撮影機能付きカメラは、前記作動表示手段が、前記視覚表示素子の表示動作期間を前記フィルム給送モータが停止するときのブレーキ開始からシャッタの作動終了までの期間に実質的に対応させる。
このような構成により、特に、当該フレームの撮影動作の開始直前から撮影完了までのタイミングを識別することができる。
【００２２】
【発明の実施の形態】
以下、実施の形態に基づき、図面を参照して本発明の繰り返し撮影機能付きカメラを詳細に説明する。
図１〜図３は、本発明の一つの実施の形態に係る繰り返し撮影機能付きカメラの主要部の構成を示している。図１は、撮影に関連する繰り返し撮影機能付きカメラの主要な構成を模式的に示すブロック図、図２は、その繰り返し撮影機能付きカメラの動作タイミング関係を示すタイミングチャート、そして図３は、その繰り返し撮影機能付きカメラにおける表示状態の一例を示す模式図である。
図１に示す繰り返し撮影機能付きカメラは、ＣＰＵ（中央処理装置）１、液晶ディスプレイ装置（ＬＣＤ）２、シャッタアクチュエータ３、ストロボ４、給送回路（モータを含む）５、第１の発光ダイオード（充電完了用）ＬＥＤ１、第２の発光ダイオード（高輝度警告用）ＬＥＤ２、モードスイッチＭＯＤＥＳＷ、第１段目のレリーズスイッチＲＬ１ＳＷ、第２段目のレリーズスイッチＲＬ２ＳＷおよびバッテリＢＡＴを具備している。なお、図１には、この実施の形態に必要な部分のみ示されている。
【００２３】
ＣＰＵ１は、カメラの各種動作のためのシーケンス制御および各種の表示動作を制御する。第１の発光ダイオードＬＥＤ１は、ストロボ４の充電状態を点灯表示する。第２の発光ダイオードＬＥＤ２は、測光結果に基づいて、例えば撮影可能範囲の上限を超えた高輝度状態および下限を超えた低輝度状態を警告表示する。第２の発光ダイオードＬＥＤ２は、例えば、低輝度状態でストロボ４を発光させることとなる場合のストロボ発光警告等にも用いられる。これら第１および第２の発光ダイオードＬＥＤ１およびＬＥＤ２は、共にカメラのファインダ（図示されていない）の近傍に配置されている。また、これらの発光ダイオードＬＥＤ１およびＬＥＤ２が、共にカメラのファインダ内に配置されていてもよい。液晶ディスプレイ装置２は、各７セグメントの数字表示部を複数桁分備えていてもよい。
第１段目のレリーズスイッチＲＬ１ＳＷおよび第２段目のレリーズスイッチＲＬ２ＳＷは、２段ストローク動作のレリーズボタン（図示していない）のそれぞれ第１段の操作で動作するスイッチおよび第２段の操作で動作するスイッチである。第１段目のレリーズスイッチＲＬ１ＳＷがオンとなると、ＣＰＵ１の電源が入り、測光および測距等を行い、必要に応じてその結果を表示する。
【００２４】
第２段目のレリーズスイッチＲＬ２ＳＷがオンとなると、シャッタレリーズ動作が行なわれる。モードスイッチＭＯＤＥＳＷは、カメラの各種機能についての動作モードを選択するためのスイッチである。
シャッタアクチュエータ３は、ＣＰＵ１から与えられる信号によってシャッタ羽根（図示していない）の開閉動作を行なわせる。ストロボ４は、ＣＰＵ１からの信号によって充電および放電発光動作が制御されるとともに、充電結果をＣＰＵ１に伝達する。給送回路５は、給送モータを含みシャッタ作動後にＣＰＵ１からの信号に応答してフィルムを巻き上げる。バッテリＢＡＴはＣＰＵ１およびカメラ各部の全てに供給する動作電力を発生する電源である。
液晶ディスプレイ装置２の７セグメント数字表示部には、通常時は、フィルム残り枚数および設定されたシャッタ秒時等を表示している。
【００２５】
図２は、連続撮影またはオートブラケット動作により、例えば３フレームの繰り返し撮影を行った場合における作動表示の様子を説明するためのタイミングチャートである。
レリーズボタンの第２段までの操作により、第１段目および第２段目のレリーズスイッチＲＬ１ＳＷおよびＲＬ２ＳＷが共にオンとなると、シャッタが作動し第１フレーム目のフィルム給送のために給送回路５によりモータが駆動されて回転する。連続撮影またはオートブラケット等の繰り返し撮影動作においては、ＣＰＵ１の制御により、１フレーム撮影毎にモータを停止させるブレーキ信号に同期して、第１および第２の発光ダイオードＬＥＤ１およびＬＥＤ２を同時に点灯させて、第２フレーム目のシャッタ作動タイミングを報知する。第２フレーム目の撮影後、第３フレーム目以降のシャッタ作動タイミングについても同様の動作を繰返して必要な報知を行う。
【００２６】
図２に示すタイミングチャートにおける表示１は、発光ダイオードＬＥＤ１およびＬＥＤ２を、モータのブレーキ時間と同じ期間だけ点灯させた場合の例を示す。また、表示２は、発光ダイオードＬＥＤ１およびＬＥＤ２を、おおむねモータブレーキ開始からシャッタアクチュエータ３がオンとされるまでの期間だけ点灯させた場合の例を示す。さらに、表示３は、発光ダイオードＬＥＤ１およびＬＥＤ２を、モータのブレーキ開始からシャッタの作動終了までの期間にわたって点灯させた場合の例を示している。
カメラによっては、モータのブレーキ時間が比較的短く、表示１では、表示時間が短すぎて表示が見にくい場合があるので、そのような場合には、表示２のようにシャッタアクチュエータ３がオンとなるまで点灯時間を延ばすと見易くなる。さらに、表示３のように、シャッタの作動終了まで、発光ダイオードＬＥＤ１およびＬＥＤ２を点灯させれば、ロングシャッタ等の場合にも、シャッタが閉じるまでカメラを保持し続けるためのタイミングが判別可能であるのでさらに便利である。
【００２７】
上述したように、ファインダの近傍あるいはファインダ内に設けた発光ダイオードＬＥＤ１およびＬＥＤ２のような、発光表示素子を、給送回路５のフィルム給送モータが停止した瞬間に短時間発光させ、使用者にその直後にシャッタが開くことを知らせて、カメラをしっかり保持すべきタイミングをユーザに報知することにより、撮影時の手ぶれ等による失敗を効果的に低減・防止することが可能となる。
また、通常のカメラに一般的に設けられているファインダ近傍またはファインダ内の表示素子を、連続撮影およびオートブラケット等の繰り返し撮影における撮影タイミング表示に流用して、兼用することによって、新たに専用の表示装置等をを設けることなく繰り返し撮影における撮影タイミング表示を実現しているので、コストアップおよびカメラの大型化を招くこともないであろう。
さらに、ファインダ近傍あるいはファインダ内に複数の発光表示部がある場合には、例えば、通常動作では同時に発光しない２個以上の発光表示部を点灯することによって、確実にシャッタ作動タイミングをユーザに知らせると同時に、共に点灯した発光表示素子の本来の機能による表示でなく、繰り返し撮影のタイミング表示であることを明確に示すことができる。
【００２８】
さらに、図１において、モードスイッチＭＯＤＥＳＷを何回か押してオートブラケット機能を選択した場合、ＣＰＵ１は、液晶ディスプレイ装置２の７セグメント数字表示部のうちの２桁を用いて図３に示すように、第１桁目を大文字の「Ａ」、第２桁目を小文字の「ｂ」として、「Ａｂ」と表示させて、オートブラケット機能が選択されていることを表示させる。また、液晶ディスプレイ装置２の７セグメント数字表示部のうちの３桁を用いて図４に示すように、第１桁目を大文字の「Ａ」、第２桁目を大文字の「Ｅ」、第３桁目を小文字の「ｂ」として、「ＡＥｂ」、図５に示すように、第１桁目を大文字の「Ａ」、第２桁目を小文字の「ｂ」、第３桁目を小文字の「ｃ」として、「Ａｂｃ」、または図６に示すように、第１桁目を大文字の「Ａ」、第２桁目を小文字の「ｂ」、第３桁目を大文字の「Ｃ」として、「ＡｂＣ」と表示して、オートブラケット機能が選択されていることを表示させてもよい。
このように、撮影枚数または撮影可能枚数のカウンタ、あるいはシャッタ秒時等を表示するために既に設けられている７セグメントの数字表示部を利用して「Ａｂ」、「ＡＥｂ」、「Ａｂｃ」または「ＡｂＣ」等の表示をするので、液晶ディスプレイ装置２に新しい画素を追加する必要もなく、コストアップを招いたり、液晶ディスプレイ装置２を大型化させたりすることなく、オートブラケットモードを表示させることが可能となる。
【００２９】
また、オートブラケットモード表示が行われている時でも、ユーザは、レリーズボタンの第１段の操作による第１段目のレリーズスイッチＲＬ１ＳＷの動作によって、元の表示である撮影カウンタ、ＩＳＯ感度およびシャッタ秒時等を確認することができる。さらに、撮影後にフィルム給送後の数秒間は元の表示を行うようにしているので、撮影の都度、元の表示を確認することができ、表示を兼用していることによる不具合は発生しない。
なお、この場合、元の表示からオートブラケット表示に戻すタイミングは、フィルム給送後、数秒、例えば典型的には２秒、としてある。このタイミングで通常のユーザが元の表示内容を確認するのに不自由はないが、不揮発性メモリ、例えばＥＥＰＲＯＭ（電気的消去可能プログラマブルリードオンリメモリ）に、この時間を適宜設定し、記憶するようにすれば、ユーザに最適な期間に調節することができるようになり、さらに使い勝手を向上させることができる。
さらに、本発明はその要旨に含まれる範囲内で種々変形して実施することができることはいうまでもない。
【００３０】
【発明の効果】
以上述べたように、本発明によれば、上述した第１の目的を達成し、連続撮影機能またはオートブラケット機能等の自動的な繰り返し撮影機能を使用しているときに、第２フレーム目以降のシャッタレリーズ動作のタイミングをユーザに適切に報知することによって、ユーザに注意を促し、カメラをしっかり構え保持するタイミングを知らせて、手ぶれのない撮影を可能とする繰り返し撮影機能付きカメラを提供することができる。
【００３１】
すなわち、本発明の請求項１の繰り返し撮影機能付きカメラによれば、
レリーズ操作に応じて連続的に複数フレームの撮影を行う連続撮影機能および一度のレリーズ操作で露出を少しずつ変化させながら複数フレームの撮影を行うオートブラケット機能の少なくとも一方を含む繰り返し撮影機能を備えたカメラにおいて、
フィルム給送モータを含むフィルム給送回路と、
ファインダ近傍およびファインダ内の少なくとも一方に設けられた視覚表示素子と、
前記繰り返し撮影機能による一連の撮影フレームにおける少なくとも第２フレーム目から最後の撮影フレームまでのレリーズ動作の少なくとも直前のタイミングに対応して前記視覚表示素子を表示動作させる作動表示手段とを具備してなり、
前記作動表示手段は、前記視覚表示素子の表示動作開始タイミングを前記フィルム給送モータが停止するときのブレーキ開始タイミングに実質的に対応させて、第２フレーム目以降のレリーズ開始タイミングを使用者に認知させることにより、連続撮影機能またはオートブラケット機能等の自動的な繰り返し撮影機能を使用しているときに、当該フレームの撮影動作の開始直前のタイミングをユーザに適切に報知することによって、ユーザに注意を促し、カメラをしっかり構え保持するタイミングを知らせて、手ぶれのない撮影を可能とし、特に、騒音等による影響を受けない視覚表示により、第２フレーム目以降のシャッタレリーズ動作のタイミングをユーザに適切に認知させることが可能となる。
【００３３】
本発明の請求項２の繰り返し撮影機能付きカメラによれば、前記作動表示手段が、前記視覚表示素子の表示動作期間を前記フィルム給送モータが停止するときのブレーキ開始からシャッタを作動させるためのシャッタアクチュエータの通電開始までの期間に実質的に対応させることにより、特に、当該フレームの撮影動作の開始直前から開始までのタイミングを識別することができる。
本発明の請求項３の繰り返し撮影機能付きカメラによれば、前記作動表示手段が、前記視覚表示素子の表示動作期間を前記フィルム給送モータが停止するときのブレーキ開始からシャッタの作動終了までの期間に実質的に対応させることにより、特に、当該フレームの撮影動作の開始直前から撮影完了までのタイミングを識別することができ、シャッタ作動中に不用意に手ぶれを生じさせるような事態を回避することができる。
【図面の簡単な説明】
【図１】本発明の一つの実施の形態に係る繰り返し撮影機能付きカメラの主要な構成を模式的に示すブロック図である。
【図２】図１の繰り返し撮影機能付きカメラの動作を説明するためのタイミングチャートである。
【図３】図１の繰り返し撮影機能付きカメラの動作を説明するための表示例を示す模式図である。
【図４】図１の繰り返し撮影機能付きカメラの動作を説明するための他の表示例を示す模式図である。
【図５】図１の繰り返し撮影機能付きカメラの動作を説明するためのその他の表示例を示す模式図である。
【図６】図１の繰り返し撮影機能付きカメラの動作を説明するためのさらに他の表示例を示す模式図である。
【符号の説明】
１  ＣＰＵ（中央処理装置）
２  液晶ディスプレイ装置（ＬＣＤ）
３  シャッタアクチュエータ
４  ストロボ
５  給送回路（含モータ）
ＬＥＤ１  第１の発光ダイオード（充電完了用）
ＬＥＤ２  第２の発光ダイオード（高輝度警告用）
ＭＯＤＥＳＷ  モードスイッチ
ＲＬ１ＳＷ  レリーズスイッチ（第１段目）
ＲＬ２ＳＷ  レリーズスイッチ（第２段目）
ＢＡＴ  バッテリ
【図１】
0004169240.tif 000002
【図２】
0004169240.tif 000003
【図３】
0004169240.tif 000004
【図４】
0004169240.tif 000005
【図５】
0004169240.tif 000006
【図６】
0004169240.tif 000007